(57)【特許請求の範囲】
【請求項１】
熱交換器、送風機および熱交換器の下面を覆うドレンパンを収納した空気調和機本体と、この空気調和機本体の下面に取り付けられた化粧パネルとを備えた天井埋込型空気調和装置において、前記化粧パネルを仮止めする仮止め具をドレンパンに設けたインサート金具に固定したことを特徴とする天井埋込型空気調和装置。
【請求項２】
前記仮止め具がインサート金具に固定された本体と、この本体に起立自在に支持された略Ｕ字状の金具とからなり、前記化粧パネルの仮止め時にはこの金具を起立させる構成としたことを特徴とする請求項１記載の天井埋込型空気調和装置。
【請求項３】
前記ドレンパンの前記インサート金具を設けた部分を前記化粧パネル側に高く突出させたことを特徴とする請求項１または２記載の天井埋込型空気調和装置。
【発明の詳細な説明】
【０００１】
【発明の属する技術分野】
本発明は、ドレンパンを備えた天井埋込型空気調和装置の構造に関する。
【０００２】
【従来の技術】
一般に、熱交換器、送風機および熱交換器の下面を覆う発泡スチロール製のドレンパンを収納した空気調和機本体と、この空気調和機本体の下面に取り付けられた化粧パネルとを備えた天井埋込型空気調和装置が知られている。
【０００３】
【発明が解決しようとする課題】
しかしながら、従来、上記ドレンパンが、送風機および熱交換器の下面を覆うように配置されているため、このドレンパンの肉部が送風機の送風抵抗となり、風量低下を招き、騒音の原因にもなるという問題がある。
【０００４】
そこで、本発明の目的は、送風機の送風抵抗となる原因を取り除いた天井埋込型空気調和装置を提供することにある。
【０００５】
【課題を解決するための手段】
請求項１記載の発明は、熱交換器、送風機および熱交換器の下面を覆うドレンパンを収納した空気調和機本体と、この空気調和機本体の下面に取り付けられた化粧パネルとを備えた天井埋込型空気調和装置において、化粧パネルを仮止めする仮止め具をドレンパンに設けたインサート金具に固定したことを特徴とする。
【０００９】
請求項２記載の発明は、請求項１記載のものにおいて、仮止め具がインサート金具に固定された本体と、この本体に起立自在に支持された略Ｕ字状の金具とからなり、化粧パネルの仮止め時にはこの金具を起立させる構成とした。
【００１０】
請求項３記載の発明は、請求項１または２記載のものにおいて、ドレンパンのインサート金具を設けた部分を化粧パネル側に高く突出させた。
【００１１】
【発明の実施の形態】
以下、本発明の一実施形態を添付の図面を参照して説明する。
【００１２】
図１は、天井埋込型空気調和装置を示している。この天井埋込型空気調和装置は、板金製の空気調和機本体１を有し、この空気調和機本体１は、吊りボルト２で天井からつり下げられている。
【００１３】
この空気調和機本体１は、図２に示すように、略四角形の箱形に形成されている。図２中では、空気調和機本体１の上方が開口し、天井に埋め込まれた場合、この開口側が被調和室に対向する。
【００１４】
この空気調和機本体１の内側には、発泡スチロール製の断熱体３が、空気調和機本体１の側板１Ａの内面に略接した状態で配置されている。この断熱体３の高さＨ１は、空気調和機本体１の高さＨ２から、後述するドレンパン１３の高さＨ３を減じた程度の高さに設定されている。
【００１５】
空気調和機本体１の天板１Ｂには、モータ５が固定され、このモータ５のシャフトには羽根車７が取り付けられている。これらが送風機９を構成している。この送風機９を取り囲むように、略四角形状に曲げられた熱交換器１１が、上記発泡スチロール製の断熱体３の内側に配置されている。
【００１６】
この熱交換器１１の下面１１Ａを覆うように、発泡スチロール製のドレンパン１３が配置され、このドレンパン１３は、その外周１３Ａが空気調和機本体１の側板１Ａの内面に略接した状態で配置されている。
【００１７】
このドレンパン１３には、補強部材１５、送風機９のノズル１７，電装箱１９等の各種部品がねじ止めされている。
【００１８】
そして、空気調和機本体１の下面には、図１に示すように、化粧パネル２１が取り付けられ、この化粧パネル２１には吸込口２２と吹出口２３が形成され、吸込口２２にはフィルタ２５が装着されている。
【００１９】
図３は、ドレンパン１３の上面１３Ｂを示す。
【００２０】
本実施形態では、ドレンパン１３の上面１３Ｂに周方向に延びる凹状の溝部（ドレン溜まりの一部）１００が形成されている。
【００２１】
この凹状の溝部１００は、図１からも明らかなように、略四角形状に曲げられた熱交換器１１の底部１１Ａを収容し、ここに熱交換器１１からのドレンが収集される。この凹状の溝部１００は、周方向に連続して延びており、その一部に、ドレン溜まり１０１が形成されている。
【００２２】
このドレン溜まり１０１は、他の溝部１００よりも深さが深く形成され、すべてのドレンが、この最も深くなったドレン溜まり１０１に回収される。このドレン溜まり１０１には、ドレンポンプ１０２（図２）の吸込口１０２Ａが臨み、このドレンポンプ１０２を通じて、ドレン溜まり１０１に回収されたドレンが、空気調和機本体１の外側に排出される。ただし、このドレンポンプ１０２では、ドレン溜まり１００，１０１の底部のドレンを完全にくみ出すことができず、当該底部に、わずかながらドレンが溜まる。
【００２３】
このドレンパン１３は発泡スチロール製であり、この発泡スチロール製のドレンパン１３に形成された上記凹状の溝部１００およびドレン溜まり１０１の各底部には、図３に斜線で示すように、抗菌性に優れ、かつ、耐油性に優れる、厚さの薄いシート１０３が一体的に貼設されている。
【００２４】
上記構成では、抗菌性に優れるシート１０３が存在するため、上記凹状の溝１００およびドレン溜まり１０１の底部に、ドレンが残留したとしても、かびの発生が抑制される。従って、従来のものと異なり、送風機９によって、かびが、被調和室に吹き出されるおそれはない。
【００２５】
また、熱交換器１１の配管等から漏れた油が、上記底部に溜まったとしても、そこには耐油性に優れるシート１０３が存在するため、発泡スチロール製のドレンパン１３が劣化することがない。
【００２６】
本実施形態では、ドレンパン１３の肉部であって、送風機９の送風抵抗となる一部分が、図３及び図４に示すように、除去されている。すなわち、ドレンパン１３に形成された、送風機９のノズル孔１３Ｎの周囲に環状の土手部１０５が形成され、この土手部１０５からドレン溜まり１００，１０１に連続する傾斜１０６が設けられている。この傾斜１０６によって、送風機９の送風抵抗を減じたものと、そうでないものとを用いて、実機による騒音試験を行った結果、本対策を講じたものの方が低騒音であることが判明した。
【００２７】
図５は、別の実施形態を示す。
【００２８】
これは、図３のものよりも大型のドレンパン１３を示す。このドレンパン１３では、図示のように、ドレン溜まり１００，１０１が、高さの高い土手部１０５で仕切られ、この土手部１０５の内側に位置する、送風機９の送風抵抗となる部分が、図６に示すように、除去されて肉薄部１０７が形成されている。土手部１０５の内側に位置する、送風機９の送風抵抗となる部分１０７を除去したものと、除去しないものとを用いて、実機による騒音試験を行った結果、本対策を講じたものの方が低騒音であることが判明した。
【００２９】
図７は別の実施形態を示す。
【００３０】
これは、図１に示す空気調和機において、化粧パネル２１を取り外して、ドレンパン１３の下面１３Ｃを露出させた状態を示す図である。
【００３１】
この実施形態では、ドレンパン１３の両端に、化粧パネル２１を仮止めする仮止め具３１が設けられている。ドレンパン１３の両端は、図８に示すように、他の部分よりも化粧パネル２１側に高く突出し、この突出部１３Ｄには、インサート金具３３が設けられている。
【００３２】
仮止め具３１は、インサート金具３３にねじ３４で固定された本体３５と、この本体３５に起立自在に支持された略Ｕ字状の金具３６とで構成される。この金具３６は、図９に示すように、直角に折り曲げられた取付部３６Ａと、後述する化粧パネル２１を支持する支持部３６Ｂとを有し、通常時には、図８に破線で示すように、上記金具３６の支持部３６Ｂを横に寝かせて、上記本体３５に取付部３６Ａを支持した状態で格納されている。
【００３３】
化粧パネル２１を仮止めする場合、図８に示すように、金具３６の取付部３６Ａを、本体３５の支持孔３５Ａに挿入させておく（破線状態）。そして、取付部３６Ａと支持部３６Ｂとの交点からなる折曲部３６Ｃを支点として、金具３６の支持部３６Ｂを起立させ、この支持部３６Ｂを本体３５の保持溝３５Ｂに係止させる。金具３６の支持部３６Ｂを起立させた状態では、金具３６の支持部３６Ｂが、下を向く状態になることは云うまでもない。
【００３４】
この支持部３６Ｂを起立させた状態で、そこに化粧パネル２１の図示を省略した係止部を引っかけ、要するに、この化粧パネル２１をぶら下げた状態にして、化粧パネル２１を一時的に仮止めする。
【００３５】
そして、この仮止めした化粧パネル２１を、図示を省略したねじによって空気調和機本体１に本止めする。
【００３６】
本実施形態では、化粧パネル２１を仮止めする場合、金具３６の取付部３６Ａを、本体３５の支持部３５Ａに支持して、金具３６の支持部３６Ｂを起立させ、この支持部３６Ｂを本体３５の保持溝３５Ｂに係止させているため、この金具３６の剛性が高く、化粧パネル２１を仮止めした状態で、化粧パネル２１が強固に支持される。
【００３７】
従って、この化粧パネル２１の自重によって、仮止め中に、本体３５から金具３６が脱落するようなことがない。
【００３８】
以上、一実施形態に基づいて本発明を説明したが、本発明は、これに限定されるものでないことは明らかである。
【００３９】
【発明の効果】
請求項１〜３記載の発明では、化粧パネルを仮止めする場合、金具の剛性が高く、化粧パネルを仮止めした状態で、化粧パネルが強固に支持されるため、この化粧パネルの自重によって、仮止め中に、本体から金具が脱落するようなことがなく、作業性が向上する。
【図面の簡単な説明】
【図１】本発明による天井埋込型空気調和装置の一実施形態を示す断面図である。
【図２】同じく天井埋込型空気調和装置の分解斜視図である。
【図３】ドレンパンの上面図である。
【図４】図３のIV−IV断面図である。
【図５】別の実施形態を示すドレンパンの上面図である。
【図６】図５のVI−VI断面図である。
【図７】ドレンパンの下面図である。
【図８】仮止め具を示す図である。
【図９】金具を示す斜視図である。
【符号の説明】
１  空気調和機本体
１３  ドレンパン
２１  化粧パネル
３１  仮止め具
３３  インサート
３５  本体
３６  金具
３６Ａ  取付部
３６Ｂ  支持部
３６Ｃ  折曲部
１００，１０１  ドレン溜まり
１０５  土手部
１０７  肉薄部
【図１】
0003744762.tif 000002
【図２】
0003744762.tif 000003
【図３】
0003744762.tif 000004
【図４】
0003744762.tif 000005
【図５】
0003744762.tif 000006
【図６】
0003744762.tif 000007
【図７】
0003744762.tif 000008
【図８】
0003744762.tif 000009
【図９】
0003744762.tif 000010